(57)【要約】【課題】リテーナの戻り防止を確実に行う。【解決手段】コネクタハウジング１にはその上面から両側面にかけてリテーナ装着孔１０が開口し、リテーナ３５は仮係止位置から本係止位置へ斜めに押し込まれる。一方、端子金具２５にはリテーナ３５に対する突部２８とその側方に設けられたスタビライザ２９とが設けられ、リテーナ３５が本係止位置に至ると、突部２８とスタビライザ２９の双方が係止する。このとき、スタビライザ２９の後縁は突出端が尖端となって食い込み部５６が形成され、端子金具２５に接続された電線３１が後方へ引っ張られると、食い込み部５６がリテーナ３５に食い込んでリテーナ３５の戻りを規制する。【選択図】　図１４
2004031032.tif 000002
【特許請求の範囲】
【請求項１】
相手側コネクタハウジングと嵌合可能なコネクタハウジングと、
このコネクタハウジング同士の嵌合方向に沿って形成され端子金具を後方より挿通してコネクタハウジング内に収容可能なキャビティと、撓み可能に形成され前記端子金具が正規深さまで挿入されているときに端子金具を弾性的に係止させるランスと、前記コネクタハウジングにおいて前記キャビティへ連通して開口するリテーナ装着孔と、このリテーナ装着孔へ押し込まれ前記端子金具に形成されたリテーナ係止部に係止して前記ランスと共に端子金具を二重に抜け止めするリテーナとを備え、
かつ前記リテーナを前記リテーナ装着孔へ押し込むときに前記コネクタハウジングと相互に摺接し合う部分には、前記リテーナを前記端子金具の挿入方向へ向けて斜めに誘導すると共にこのリテーナの斜めの変位に伴って前記端子金具を正規深さ位置にまで押し込み可能とする誘導部が形成されてなるコネクタであって、
前記リテーナ係止部には、前記リテーナの対向面に向かう尖端を有して同対向面へ食い込み可能な食い込み部が備えられていることを特徴とするコネクタ。
【請求項２】
前記リテーナ係止部は、前記端子金具が前記キャビティに対し正規の挿入姿勢で挿入されるときにリテーナの挿入を許容し、正規の挿入姿勢と異なる姿勢で挿入されるときには前記キャビティの壁面と干渉してリテーナの挿入を規制するスタビライザであることを特徴とする請求項１記載のコネクタ。
【請求項３】
前記リテーナ係止部は、前記スタビライザに隣接して配され前記スタビライザと共に前記リテーナに係止する突部が起立形成されるとともに、この突部の後縁は鉛直面となって前記リテーナの対向面と係止可能であることを特徴とする請求項２記載のコネクタ。
【発明の詳細な説明】
【０００１】
【発明の属する技術分野】
本発明はコネクタに関する。
【０００２】
【従来の技術】
従来より、コネクタハウジングの側面にリテーナ装着孔を設け、ここからリテーナを押し込んで端子金具に係止させる、いわゆるサイドリテーナタイプと呼ばれる形式のものが知られている。また、こうしたタイプの中には、リテーナを斜めに押し込むものもある。その一例としては、特開平６−１５１００２号公報のものを挙げることができる。このものは、コネクタハウジング内に形成されたキャビティに対し斜め後方より進入するリテーナを有している。リテーナが正規に装着される過程で、正規の深さにまで挿入されていない端子金具があった場合にも、この端子金具を後方から押し込んで正規深さ位置に至らしめることができるようになっている。コネクタハウジングの側面には係止突起が設けられ、リテーナの対向面に開設された係止穴へ係止することで、リテーナを正規の装着位置で保持するようにしている。
【０００３】
【発明が解決しようとする課題】
ところで、端子金具に接続された電線に引っ張り力が作用すると、これに係止しているリテーナにも同方向の力が作用する。その場合において、通常のサイドリテーナタイプのものであれば、リテーナの装着方向が端子金具の挿入方向と直交する方向であるため、電線の引っ張り力が作用しても、リテーナが外れ方向に変位してしまうことはない。しかし、上記のように斜め方向に押し込むタイプのリテーナでは、電線に引っ張り力が作用すると、同引っ張り力はリテーナに対し戻し方向の分力を生じ、リテーナ全体が斜めに引き戻されようとする。
【０００４】
上記した公報のものでも、係止穴と係止突起との係止を行っており、これによってリテーナの戻り防止に関して実用上の支障はないと言えるが、最近のようにコネクタの小型化が望まれる状況下では、この点においても改良の余地が生じる。すなわち、コネクタの小型化が進むと、リテーナと端子金具との深さ方向の掛かり代が十分に確保されにくくなる。そうした状況においては、リテーナの戻り方向の変位はできるだけ抑制されるのが望まれるからである。
【０００５】
本発明は上記のような事情に基づいて完成されたものであって、端子金具に対する抜け規制をより確実に行うことができるコネクタを提供することを目的とする。
【０００６】
【課題を解決するための手段】
上記の目的を達成するための手段として、請求項１の発明は、相手側コネクタハウジングと嵌合可能なコネクタハウジングと、このコネクタハウジング同士の嵌合方向に沿って形成され端子金具を後方より挿通してコネクタハウジング内に収容可能なキャビティと、撓み可能に形成され前記端子金具が正規深さまで挿入されているときに端子金具を弾性的に係止させるランスと、前記コネクタハウジングにおいて前記キャビティへ連通して開口するリテーナ装着孔と、このリテーナ装着孔へ押し込まれ前記端子金具に形成されたリテーナ係止部に係止して前記ランスと共に端子金具を二重に抜け止めするリテーナとを備え、かつ前記リテーナを前記リテーナ装着孔へ押し込むときに前記コネクタハウジングと相互に摺接し合う部分には、前記リテーナを前記端子金具の挿入方向へ向けて斜めに誘導すると共にこのリテーナの斜めの変位に伴って前記端子金具を正規深さ位置にまで押し込み可能とする誘導部が形成されてなるコネクタであって、前記リテーナ係止部には、前記リテーナの対向面に向かう尖端を有して同対向面へ食い込み可能な食い込み部が備えられていることを特徴とするものである。
【０００７】
また、請求項２の発明は、請求項１記載のものにおいて、前記リテーナ係止部は前記端子金具が前記キャビティに対し正規の挿入姿勢で挿入されるときにリテーナの挿入を許容し、正規の挿入姿勢と異なる姿勢で挿入されるときには前記キャビティの壁面と干渉してリテーナの挿入を規制するスタビライザであることを特徴とするものである。
【０００８】
さらに、請求項３の発明は、請求項２記載のものにおいて、前記リテーナ係止部は、前記スタビライザに隣接して配され前記スタビライザと共に前記リテーナに係止する突部が起立形成されるとともに、この突部の後縁は鉛直面となって前記リテーナの対向面と係止可能であることを特徴とするものである。
【０００９】
【発明の作用及び効果】
＜請求項１の発明＞
請求項１の発明によれば、キャビティに対して後方より挿入された端子金具は、正規深さに至るとランスによって係止される。その後、リテーナをリテーナ装着孔へ押し込むと、リテーナは誘導部による案内を受けて斜めに変位して組み付けがなされる。その結果、リテーナが端子金具と係止するため、端子金具はランスと併せて二重に抜け止めがなされる。
【００１０】
その場合において、リテーナはリテーナ装着孔における後部である初期の嵌合位置から端子金具の挿入方向に沿ってリテーナ装着孔の前部へと変位し、最終的な組付け位置に至る。
【００１１】
また、端子金具の挿入が浅く正規深さに至っていない場合には、リテーナは斜めに移動する過程で端子金具を押し込んで正規深さへ誘導し正規状態で端子金具と係止する。
【００１２】
リテーナによって端子金具が抜け止めされている状態で、端子金具に抜き取り方向の力が作用した場合には、これに係止しているリテーナも抜け方向、つまり斜め後方へ変位しようとする。その場合において、リテーナ係止部には食い込み部が設けられているため、リテーナが抜け方向へ変位しようとすると、食い込み部がリテーナの対向面に食い込むため、リテーナの変位を確実に規制することができる。
【００１３】
＜請求項２の発明＞
請求項２の発明によれば、　スタビライザという既存構造を利用して食い込み部を形成することができるため、端子金具の構造を複雑化させない。
【００１４】
＜請求項３の発明＞
請求項３の発明によれば、端子金具がリテーナと係止し合っているときには、スタビライザの尖端がリテーナとほぼ点当たり状態で当接することに加え、突部が鉛直面をもってリテーナと当たり合っている。したがって、スタビライザに比較してより広い範囲をもってリテーナと当たり合うため、端子金具のがたつきを緩和することができる。
【００１５】
【発明の実施の形態】
以下、本発明の実施形態を添付図面に基づいて説明する。
【００１６】
図において、１は合成樹脂材にて一体に形成されたコネクタハウジングであり、上面中央部には片持ち梁状をなすロックアーム２が撓み可能に設けられている。このロックアーム２は図示しない相手側コネクタハウジングと弾性的に係止して両コネクタハウジングを嵌合状態にロックすることができる。
【００１７】
また、コネクタハウジング１の内部には幅方向に複数室のキャビティ３が並列し、さらにこれらは上下二段に設けられている。各キャビティ３はコネクタハウジング１を前後方向に沿って貫通しており、端子金具２５を後方より挿通して内部に収容することができる。各キャビティ３の底面の前部には端子金具２５に対して一次係止するランス５が配されている。ランス５は端子金具２５の挿入方向前方へ片持ち状に延び、上下方向に撓み可能に形成されている。また、ランス５は端子金具２５が同ランス５上を通過することに伴って下方へ撓み変形し、通過後には復帰して端子金具２５に形成された係止突部２７をランス５の前端面と係止させ、これによって端子金具２５の抜け止めを行う。さらに、ランス５の上面中央部には突部挿通溝６が前後方向に沿って凹み形成され、端子金具２５の通過時におけるランス５の下方への撓み量を少なくしている。すなわち、ランス５とキャビティ３の底面との間隙の高さを減少させてコネクタ全体の低背化が図られている。
【００１８】
ここで、端子金具２５について説明すると、端子金具２５は所定の展開形状に打ち抜かれた金属板を折り曲げて形成したものであり、前部側には相手側端子金具（図示しない雄端子金具）と接続可能な本体部２６が配され、後部側には電線３１との接続のためのバレル部３０が配されている。本体部２６はほぼ箱形形状をなし、その内部へ雄端子金具のタブ部が進入可能となっている。また、本体部２６の下面（ランス５と対向する面）は内壁５０と外壁５１とが二重に重ね合わされた構造となっている。外壁５１は長さ方向の略中央部分に切欠部５２が全幅に亘って形成されることで、前部５４と後部５５とに分断されている。この切欠部５２内には、端子金具２５がキャビティ３内に挿入されると、ランス５が全長に亘って進入可能とされ、切欠部５２の前側の切断端面５３に対してランス５が係止可能とされている。ランス５に対する係止面である切欠部５２における前側の切断端面５３は、全域に亘って内側に傾斜するテーパー状に形成されている。
【００１９】
また、外壁５１の前部５４における幅方向の中央部には、前記した係止突部２７が叩き出しによって突出形成されており、ランス５と係止可能である。係止突部２７の後縁は、切欠部５２における前側の切断端面５３の傾斜に沿って後方へオーバーハング状に突出して形成され、外壁５１の前部５４の後縁より後方へ突出している。
【００２０】
一方、外壁５１の後部５５における後端部の幅方向中央には、後述するリテーナ３５と係止可能な突部２８（リテーナ係止部）が叩き出しによって形成されている。突部２８は上記した係止突部２７とほぼ同軸上に配されるとともに、係止突部２７とほぼ同じ高さ位置まで突出するように設定され、突部挿通溝６内に挿通可能とされている。また、突部２８の後縁は鉛直方向に切り立っており、リテーナ３５側の対向面である各窓枠３７の下面部前端面４６Ａ及びリテーナ本体部３６の上面部の前端面４６Ｂ（いずれも後に詳しく説明する）と対面して当たり合うことができ、さらにはこれらリテーナ３５側の当たり面４６Ａ、４６Ｂは突部２８からこれが設けられている後部５５の後端縁に至る深さ範囲、さらには次述するスタビライザ２９（リテーナ係止部）に至る幅範囲にわたって当たり合うようになっている。
【００２１】
スタビライザ２９は平板状をなし、上記した突部２８の側方に並列して配されている。このスタビライザ２９は外壁５１の後部５５から起立して形成され、突部２８と長さ方向についての寸法はほぼ同じに設定されている。スタビライザ２９は各キャビティ３の下面において片側のコーナ部に沿って凹み形成された逃がし溝４を前進可能であり、端子金具２５が逆向きに挿入されたときにはスタビライザ２９と逃がし溝４とが不適合となることによって、逆挿入の事態を防止している。
【００２２】
また、スタビライザ２９の後端縁はその突出端が尖端となるよう、内方へ向けて傾斜するようにしてある。スタビライザ２９の尖端はリテーナ３５側の対向面に食い込んでリテーナ３５を本係止位置に保持可能な食い込み部５６としての役割を果たす。
【００２３】
コネクタハウジング１において、ロックアーム２が設けられているのと反対側の面には、リテーナ３５を装着するためのリテーナ装着孔１０が開設されている。リテーナ装着孔１０はリテーナ３５の押し込み方向に対面する面（図１等における下面）及びこれに直交する面（図１等における手前側と紙面奥側の面、以下、コネクタハウジング１の側面という）にかけての三面領域にわたって形成され、したがってリテーナ装着孔１０は三方へ開口した形態となっている。また、リテーナ装着孔１０は図示上段に位置する各キャビティ３の内部を露出させる深さをもって形成され、これにより上下の各キャビティ３は前後に分断されることになる。さらに、コネクタハウジング１の内部においてリテーナ装着孔１０によって切り欠かれた部分では、前面側は各キャビティ３の開口縁が全て鉛直に切り立つように形成されているが、後面側は各キャビティ３の開口縁が端子金具２５の挿入方向前方から後方にかけて下り勾配となるような傾斜をもって形成されている。
【００２４】
さらに、コネクタハウジング１の両側面において、リテーナ装着孔１０の側面開口部の上方及び後方にかけての領域は段差面１３となって前方の領域より一段凹ませてある。この段差面１３において、リテーナ装着孔１０の側面開口部のうち傾斜側にはその傾斜に沿うようなリブ形状の係止突起１４（誘導部）が形成されている。この係止突起１４の主たる役割としては、リテーナ３５をコネクタハウジング１に対し押し込んで装着する際に、押し込み姿勢を安定させることにある。また、係止突起１４の外面はその長さ方向の中心線を境にして片側（リテーナ装着孔１０寄りの側）は、全面に面取り１５が施されており、リテーナ３５の誘導溝４２（誘導部）に対する嵌め入れ動作を円滑に行うことができるようにしている。さらに、係止突起１４の上下両端面はそれぞれ水平面１６が形成され、かつ上側の端面は水平面１６に連続する鉛直面１７も形成されている。
【００２５】
また、係止突起１４の下方の延長線上には押し込み規制突起１８が突出形成されている。この押し込み規制突起１８はリテーナ３５が仮係止状態（図７及び図８に示す状態）にあるとき、リテーナ３５の誘導溝４２の下端に係止することで、リテーナ３５が誤って本係止位置にまで押し込まれてしまわないよう、押し込み規制を行うものである。
【００２６】
段差面１３において上記した係止突起１４の上方には、リテーナ３５が本係止状態にあるときのがたつきを抑えるためのがたつき規制部１９が突設されている。がたつき規制部１９は前後方向に沿ってほぼ水平に延びる形態となっており、その上縁は後部側がやや幅狭となるように段差状に切り欠き形成されているが、この切り欠かれた部分はリテーナ３５を仮係止状態と本係止状態との間で移動させる際に、両側板４０を拡開させるための治具等の挿入用の切欠部２０である。一方、がたつき規制部１９の下縁は全縁に亘ってテーパー面２３が施されている。また、がたつき規制部１９の前方には本発明のロック手段の一部を構成する引掛け片２１が突出形成されている。この引掛け片２１は上縁ががたつき規制部１９の上縁と連続するように形成され、リテーナ３５が本係止状態になったときにリテーナ３５の係止爪４５と係止してリテーナ３５を本係止位置に保持することができる。但し、引掛け片２１の正面は上方へ登り勾配となるテーパー面２２が形成され、係止爪４５の乗り上げ動作が円滑になされるようにしている。
【００２７】
次に、リテーナ３５について説明すると、リテーナ３５はコネクタハウジング１と同様、合成樹脂材にて形成され、リテーナ装着孔１０へ適合して嵌合されるリテーナ本体部３６と、このリテーナ本体部３６の幅方向両端部に張り出し形成された一対の側板４０とからなっている。
【００２８】
リテーナ本体部３６はコネクタハウジング１の各段におけるキャビティ３と同数個の窓枠３７が形成されている。各窓枠３７は各コネクタハウジング１の下段側のキャビティ３と整合可能に形成されるとともに、各窓枠３７の前面側の開口縁はリテーナ装着孔１０によって前後に分断された各キャビティ３の前面側の開口縁と適合するように、鉛直に切り立つように形成されているが、各窓枠３７の後面側の開口縁は分断されたキャビティ３の後面側の開口縁の傾斜と適合するような傾斜をもって形成されている。また、各窓枠３７における下面の後部側は一段下げて形成されるが、前部側及びリテーナ本体部３６の上面部はリテーナ３５が仮係止状態にあるときには、対応する各キャビティ３の底面とほぼ同じ高さとなるようにしてあり、端子金具２５の挿抜を可能にしている。しかし、リテーナ３５が本係止位置に移行したときには、各窓枠３７の下面部前端面４６Ａ及びリテーナ本体部３６の上面部の前端面４６Ｂは、端子金具２５の突部２８と係止可能となり、端子金具２５をランス５と共に二重に抜け止めする。
【００２９】
但し、各窓枠３７の下面及びリテーナ本体部３６の上面部には端子金具２５のスタビライザ２９の通過を許容するスタビライザ通過溝３９が凹み形成されているが、リテーナ３５が本係止位置に移行したときには、各スタビライザ２９とスタビライザ通過溝３９とが上下方向に位置ずれをするため、スタビライザ通過溝３９の底面部前端面によってスタビライザ２９の後端面と係止可能となる。
【００３０】
リテーナ３５の両側板４０はコネクタハウジング１の両側面間を跨いで挟むことができる間隔をもって配され、かつ拡開変形可能である。また、両側板４０はリテーナ３５が本係止状態になったときにはリテーナ装着孔１０の側面開口を塞ぐとともに、段差面１３の所定範囲と対面可能な大きさに形成されている。さらに、両側板４０は段差面１３の深さとほぼ同じ厚みをもって形成され、リテーナ３５が本係止状態にあるときには、コネクタハウジング１の外側面とほぼ面一をなす。かくして、リテーナ３５の両側板４０はコネクタハウジング１における側面部の外壁を兼ねることとなる。
【００３１】
また、両側板４０の後部外面には厚肉となった操作部４１が縦向きに形成されており、その下端部はリテーナ３５の下面から突出するように形成されている。さらに、側板４０にはリテーナ本体部３６の後方において誘導溝４２が貫通して形成されている。誘導溝４２はリテーナ３５における各窓枠３７の後面側の傾斜に沿った勾配、つまりコネクタハウジング１の各キャビティ３の後面側の開口縁の傾斜と同一勾配をもって形成され、下端部は上記した操作部４１にまで及んで形成されている。また、誘導溝４２は係止突起１４の短尺側の幅寸法とほぼ同じ溝幅をもって形成され、その両端部は係止突起１４の両端部の形状に適合するように形成されている。さらに、誘導溝４２はその両端に係止突起１４及び押し込み規制突起１８を共に係止可能であり、このようにすることでリテーナ３５を仮係止状態に保持している。また、リテーナ３５を仮係止状態から本係止状態へ移行させる際には、押し込み規制突起１８を誘導溝４２から退出させるべくここを乗り上げてゆくことになり、この間に両側板４０は拡開変形するが、押し込み規制突起１８に比較して係止突起１４は突出量が大きく、側板４０の拡開変形によっても誘導溝４２との係止状態が継続するように十分な高さの係止代が設定されている。かくして、係止突起１４が誘導溝４２の下端側に移動することによってリテーナ３５は本係止状態となる。
【００３２】
また、両側板４０の内面において誘導溝４２の上方には前記したがたつき規制部１９を嵌め入れ可能な規制凹部４３が凹み形成され、その上下両縁にはテーパー面４４が形成されている。規制凹部４３は長さ方向に関しては、両側板４０のほぼ中央部から後端にいたるまでの範囲に亘り、また高さ方向に関しては誘導溝４２の上端部から側板４０の上端縁に至るまでの範囲に亘ってほぼ長方形状に凹み形成されている。そして、リテーナ３５が仮係止状態にあるときには、がたつき規制部１９の上縁が規制凹部４３の上縁とほぼ揃う高さ位置に保持され、規制凹部４３の下縁とは所定の隙間が保有されるようになっている。また、リテーナ３５が本係止状態にあるときには、がたつき規制部１９の下縁のテーパー面２３が規制凹部４３の下縁のテーパー面４４と適合して当たり合い、上方へのがたつきを規制することができるようになっている。
【００３３】
さらに、規制凹部４３はさらに前方へ延長されてその凹み領域が拡大されているが、上縁部については係止爪４５（引掛け片２１と共にロック手段を構成する）が形成されるようにしている。この係止爪４５は、リテーナ３５が仮係止状態にあるときにはコネクタハウジング１側の引掛け片２１とほぼ同じ高さ位置をもって対面する関係にあるが、リテーナ３５が本係止状態へ移行したときには、引掛け片２１のテーパー面２２を乗り越えて引掛け片２１の上縁に係止し、もってリテーナ３５を本係止状態で保持することができるようにしている。
【００３４】
なお、リテーナ３５が仮係止状態にあるときには、リテーナ３５の前縁とリテーナ装着孔１０の前縁との間の所定の隙間４７が保有され、コネクタハウジング１の外部からはこの隙間４７を通して端子金具２５の挿通状況（挿通の有無等）を確認することができる。
【００３５】
次に、上記のように構成された本実施形態の作用効果を具体的に説明する。リテーナ３５は、まず、コネクタハウジング１に対して仮係止位置で一体化された状態でコネクタ同士の接続現場に搬入される。リテーナ３５を仮係止状態で装着する際には、リテーナ３５の両側板４０を適宜拡開させながらコネクタハウジング１の両段差面１３を挟み付けるようにし、さらに誘導溝４２内に係止突起１４と押し込み規制突起１８を共に嵌め入れる。係止突起１４と押し込み規制突起１８はそれぞれ誘導溝４２の両端に係止するため、これによりリテーナ３５は仮係止位置で位置決めされた状態となり、不用意に本係止状態へ移行してしまうこともなくなる。また、仮係止状態では、がたつき規制部１９がリテーナ３５の規制凹部４３内に対面して位置するが、このときにはがたつき規制部１９の下縁と規制凹部４３の下縁との間には所定の隙間が保有されている。
【００３６】
さらに、この仮係止状態では、リテーナ３５の各窓枠３７の下面及びリテーナ本体部３６の上面は共にコネクタハウジング１における上下の段の各キャビティ３の底面とほぼ面一であるため、各キャビティ３に対し後方から端子金具２５を挿入すると、端子金具２５はリテーナ３５を通過し、さらにはランス５を通過する。ランス５部分を通過するときには、係止突部２７は突部挿通溝６によって逃がされつつも、ランス５を必要最小限に撓ませ、ランス５を通過した後は弾性復帰して係止突部２７を前端面に係止させる。こうして、全てのキャビティ３に対して端子金具２５の挿入を行う。この仮係止状態のときにあっては、リテーナ３５の前縁とリテーナ装着孔１０との間には所定の隙間４７が保有されているため、ここを通してキャビティ３内部を見ることができる。したがって、端子金具２５の挿入忘れを防止することができる。
【００３７】
その後、リテーナ３５の操作部４１を摘んで強く押し込み操作を行う。すると、誘導溝４２の下端部周辺が押し込み規制突起１８を乗り上げるべく変形し、誘導溝４２から退出するとともに、リテーナ３５は係止突起１４と誘導溝４２との嵌め合いによる案内作用を受け、斜め上方へと押し込まれる。この際において、係止突起１４は所定の長さをもって誘導溝４２と摺接し合うため、リテーナ３５の押し込み姿勢は安定したものとなり、リテーナ３５が図７等における時計回り方向に姿勢を崩すようなことはない。
【００３８】
そして、リテーナ３５が本係止位置に至ると、コネクタハウジング１の内部では、各窓枠３７の下面部前端面４６Ａ及びリテーナ本体部３６の上面部の前端面４６Ｂは、対応する端子金具２５の突部２８と係止可能となり、端子金具２５をランス５と共に二重に抜け止めする。一方、本係止状態では係止突起１４は誘導溝４２の下端に係止するが、押し込み規制突起１８は操作部４１の側方に外れて位置する。また、このときには係止爪４５が引掛け片２１のテーパー面２２を乗り越えて引掛け片２１の上縁に係止するため、リテーナ３５は本係止状態でロックされる。さらに、がたつき規制部１９の下縁が規制凹部４３の下縁に係止するため、リテーナ３５の上方へのがたつきも併せて規制される。
【００３９】
なお、リテーナ３５が本係止状態になると、リテーナ装着孔１０の前面にリテーナ本体部３６の前面とがほぼ当たり合い、両者間がほぼ隙間なく閉止されるため、ごみ等がキャビティ３内に進入するのを防止することができる。
【００４０】
ところで、リテーナ３５が本係止状態において、端子金具２５に接続されている電線３１に引っ張り力が作用すると、リテーナ３５は斜めに後退しようとする。このリテーナ３５の後退動作に対し、誘導溝４２と係止突起１４との係止及びがたつき規制部１９と規制凹部４３との係止が設定されているが、本実施形態ではこれらに加え、端子金具２５が後方へ引っ張られると、スタビライザ２９の食い込み部５６がリテーナ３５の各窓枠３７の下面部前端面４６Ａに食い込むようにしているから、より確実にリテーナ３５の後退動作を規制することができる。
【００４１】
なお、本実施形態では、端子金具２５におけるリテーナ３５との係止部位として、スタビライザ２９の他、突部２８も設けているが、突部２８は廃止してスタビライザ２９のみを係止部位とすることも可能である。しかし、スタビライザ２９のみとした場合には、リテーナ３５との当たり状況が尖端となった食い込み部５６であることから、点当たり状態となってしまう。その点、本実施形態では突部２８の後縁を鉛直面としてリテーナ３５側と当たり合う利用粋を拡大しているため、端子金具２５を安定的に保持することができる、という効果も得られる。
【００４２】
また、端子金具２５の挿入深さが不足してランス５に対し未係止の状態にあるような場合でも、リテーナ３５が斜めに進入する過程で端子金具２５の突部２８をリテーナ３５が押すため、半挿入状態にあった端子金具２５を正規位置にまで自動的に矯正することができる。なお、端子金具２５の挿入位置が上記した半挿入の状態よりもさらに浅い場合には、リテーナ３５を押し込もうとしても、リテーナ３５が端子金具２５の本体部２６の下面と干渉してしまい、これ以上の押し込みができない。これにより、作業者は端子金具２５が正規挿入深さからは遠い位置にあることを知ることができる。
【００４３】
さらに、メンテナンス等の際には端子金具２５を抜き取る必要が生じるが、その際にはまずリテーナ３５を再び仮係止状態に戻さねばならない。この場合、リテーナ３５の側板４０の裏面、つまり操作部４１と前記した切欠部２０に対応する部分との間の隙間へ解除治具を挿入し、両側板４０を強制的に拡開させ、その状態でリテーナ３５を斜め下方へ後退させる。こうして、再度誘導溝４２内に押し込み規制突起１８を係止させれば、リテーナ３５を仮係止状態に復帰させることができる。その状態で、コネクタハウジング１の前方から他の解除治具を用いてランス５を解除操作すれば、端子金具２５を抜き取ることができる。
【００４４】
以上のように、本実施形態によれば、リテーナ３５は仮係止位置から本係止位置へ移行する間に、リテーナ装着孔１０内を前後に移動することができる。したがって、リテーナ３５の嵌合位置のばらつきを吸収してリテーナ装着孔１０の前縁である一定位置にリテーナ３５を導くことができる。加えて、リテーナ３５が仮係止位置から本係止位置へ移行する間、リテーナ３５は誘導溝４２と係止突起１４との嵌め合いによる案内作用を受けるため、押し込み方向が安定したものとなり、リテーナ３５の動作を円滑に行わせることができる。したがって、本係止位置においてはリテーナ３５と端子金具２５とは正規の位置関係をもって係止するため、従来とは異なり、端子金具２５の検知機能を確実に発揮させることができ、かつ確実な係止状況を得ることができる。
【００４５】
また、本実施形態ではリテーナ装着孔１０がコネクタハウジング１の両側面方向へも開口するようにしているが、これら側面の開口部はリテーナ３５が本係止位置に至ったときに両側板４０によって閉止されるようにしている。つまり、本実施形態ではコネクタハウジング１の側面部の外壁をリテーナ３５の両側板４０が兼用しているため、リテーナ装着孔１０を側方へ開放させないままリテーナ３５の側板４０をコネクタハウジング１の側面に重ねて装着する形式に比較してコネクタ全体を幅方向に小さくして小型化に寄与する、という効果も発揮される。
【００４６】
さらに、本実施形態では、キャビティ３が上下二段に配されたコネクタにあって、各段毎に個別のリテーナ３５を設定するのでなく、一つのコネクタによって一括して係止させる構成であるから、部品点数も少なくかつ作業工数も減らすことができる。
【００４７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）本実施形態では、食い込み部５６をスタビライザ２９に設けたが、突部側に設定することも可能である。
（２）本実施形態では、端子金具２５として雌端子金具に適用した場合を示したが、雄端子金具に設定してもよい。
【図面の簡単な説明】
【図１】コネクタハウジングの正面図
【図２】同断面図
【図３】同背面図
【図４】同底面図
【図５】リテーナの側面図
【図６】リテーナの正断面図
【図７】リテーナが仮係止状態にあるときの正面図
【図８】同じく断面図
【図９】リテーナが本係止状態にあるときの正面図
【図１０】同じく断面図
【図１１】係止突起及び誘導溝のそれぞれの周辺部分を示す斜視図
【図１２】端子金具の側面図
【図１３】同じく底面図
【図１４】スタビライザとリテーナとの係止状況を一部破断して示す断面図
【符号の説明】
１…コネクタハウジング
３…キャビティ
５…ランス
１０…リテーナ装着孔
１４…係止突起（誘導部）
２５…端子金具
２８…突部（リテーナ係止部）
２９…スタビライザ（リテーナ係止部）
３５…リテーナ
４２…誘導溝（誘導部）
５６…食い込み部
【図１】
2004031032.tif 000003
【図２】
2004031032.tif 000004
【図３】
2004031032.tif 000005
【図４】
2004031032.tif 000006
【図５】
2004031032.tif 000007
【図６】
2004031032.tif 000008
【図７】
2004031032.tif 000009
【図８】
2004031032.tif 000010
【図９】
2004031032.tif 000011
【図１０】
2004031032.tif 000012
【図１１】
2004031032.tif 000013
【図１２】
2004031032.tif 000014
【図１３】
2004031032.tif 000015
【図１４】
2004031032.tif 000016
【手続補正書】
【提出日】平成14年11月14日(2002.11.14)
【手続補正１】
【補正対象書類名】明細書
【補正対象項目名】特許請求の範囲
【補正方法】変更
【補正の内容】
【特許請求の範囲】
【請求項１】
相手側コネクタハウジングと嵌合可能なコネクタハウジングと、
このコネクタハウジング同士の嵌合方向に沿って形成され端子金具を後方より挿通してコネクタハウジング内に収容可能なキャビティと、撓み可能に形成され前記端子金具が正規深さまで挿入されているときに端子金具を弾性的に係止させるランスと、前記コネクタハウジングにおいて前記キャビティへ連通して開口するリテーナ装着孔と、このリテーナ装着孔へ押し込まれ前記端子金具に形成されたリテーナ係止部に係止して前記ランスと共に端子金具を二重に抜け止めするリテーナとを備え、
かつ前記リテーナを前記リテーナ装着孔へ押し込むときに前記コネクタハウジングと相互に摺接し合う部分には、前記リテーナを前記端子金具の挿入方向へ向けて斜めに誘導すると共にこのリテーナの斜めの変位に伴って前記端子金具を正規深さ位置にまで押し込み可能とする誘導部が形成されてなるコネクタであって、
前記リテーナ係止部には、前記リテーナの対向面に向かう尖端を有して同対向面へ食い込み可能な食い込み部が備えられていることを特徴とするコネクタ。
【請求項２】
前記リテーナ係止部は、前記端子金具が前記キャビティに対し正規の挿入姿勢で挿入されるときに前記端子金具の挿入を許容し、正規の挿入姿勢と異なる姿勢で挿入されるときには前記キャビティの壁面と干渉して前記端子金具の挿入を規制するスタビライザであることを特徴とする請求項１記載のコネクタ。
【請求項３】
前記リテーナ係止部は、前記スタビライザに隣接して配され前記スタビライザと共に前記リテーナに係止する突部が起立形成されるとともに、この突部の後縁は鉛直面となって前記リテーナの対向面と係止可能であることを特徴とする請求項２記載のコネクタ。
【手続補正２】
【補正対象書類名】明細書
【補正対象項目名】０００７
【補正方法】変更
【補正の内容】
【０００７】
また、請求項２の発明は、請求項１記載のものにおいて、前記リテーナ係止部は前記端子金具が前記キャビティに対し正規の挿入姿勢で挿入されるときに前記端子金具の挿入を許容し、正規の挿入姿勢と異なる姿勢で挿入されるときには前記キャビティの壁面と干渉して前記端子金具の挿入を規制するスタビライザであることを特徴とするものである。




【手続補正書】
【提出日】平成15年1月31日(2003.1.31)
【手続補正１】
【補正対象書類名】明細書
【補正対象項目名】特許請求の範囲
【補正方法】変更
【補正の内容】
【特許請求の範囲】
【請求項１】
相手側コネクタハウジングと嵌合可能なコネクタハウジングと、
このコネクタハウジング同士の嵌合方向に沿って形成され端子金具を後方より挿通してコネクタハウジング内に収容可能なキャビティと、撓み可能に形成され前記端子金具が正規深さまで挿入されているときに端子金具を弾性的に係止させるランスと、前記コネクタハウジングにおいて前記キャビティへ連通して開口するリテーナ装着孔と、このリテーナ装着孔へ押し込まれ前記端子金具に突出して形成されたリテーナ係止部に係止して前記ランスと共に端子金具を二重に抜け止めするリテーナとを備え、
かつ前記リテーナを前記リテーナ装着孔へ押し込むときに前記コネクタハウジングと相互に摺接し合う部分には、前記リテーナを前記端子金具の挿入方向へ向けて斜めに誘導すると共にこのリテーナの斜めの変位に伴って前記端子金具を正規深さ位置にまで押し込み可能とする誘導部が形成されてなるコネクタであって、
前記リテーナ係止部における前記端子金具の挿入方向後端縁には、その突出端が尖端となるよう内方へ向けて傾斜し、前記リテーナの対向面へ食い込み可能な食い込み部が備えられていることを特徴とするコネクタ。
【請求項２】
前記リテーナ係止部は、前記端子金具が前記キャビティに対し正規の挿入姿勢で挿入されるときに前記端子金具の挿入を許容し、正規の挿入姿勢と異なる姿勢で挿入されるときには前記キャビティの壁面と干渉して前記端子金具の挿入を規制するスタビライザであることを特徴とする請求項１記載のコネクタ。
【請求項３】
前記リテーナ係止部は、前記スタビライザに隣接して配され前記スタビライザと共に前記リテーナに係止する突部が起立形成されるとともに、この突部の後縁は鉛直面となって前記リテーナの対向面と係止可能であることを特徴とする請求項２記載のコネクタ。
【手続補正２】
【補正対象書類名】明細書
【補正対象項目名】０００６
【補正方法】変更
【補正の内容】
【０００６】
【課題を解決するための手段】
上記の目的を達成するための手段として、請求項１の発明は、相手側コネクタハウジングと嵌合可能なコネクタハウジングと、このコネクタハウジング同士の嵌合方向に沿って形成され端子金具を後方より挿通してコネクタハウジング内に収容可能なキャビティと、撓み可能に形成され前記端子金具が正規深さまで挿入されているときに端子金具を弾性的に係止させるランスと、前記コネクタハウジングにおいて前記キャビティへ連通して開口するリテーナ装着孔と、このリテーナ装着孔へ押し込まれ前記端子金具に突出して形成されたリテーナ係止部に係止して前記ランスと共に端子金具を二重に抜け止めするリテーナとを備え、かつ前記リテーナを前記リテーナ装着孔へ押し込むときに前記コネクタハウジングと相互に摺接し合う部分には、前記リテーナを前記端子金具の挿入方向へ向けて斜めに誘導すると共にこのリテーナの斜めの変位に伴って前記端子金具を正規深さ位置にまで押し込み可能とする誘導部が形成されてなるコネクタであって、前記リテーナ係止部における前記端子金具の挿入方向後端縁には、その突出端が尖端となるよう内方へ向けて傾斜し、前記リテーナの対向面へ食い込み可能な食い込み部が備えられていることを特徴とするものである。